【手続補正書】
【提出日】平成21年3月18日(2009.3.18)
【手続補正１】
【補正対象書類名】特許請求の範囲
【補正対象項目名】全文
【補正方法】変更
【補正の内容】
【特許請求の範囲】
【請求項１】
シリコン含有の第４級アンモニウム基を含む無溶媒固体ホモポリマー状抗菌性ポリマーであって、該ホモポリマーはその構造中、化学式II；
Ｒ３Ｎ＋Ｒ０ＳｉＸ′３Ｙ−（II）
の繰り返し単位を含み、
式中のＲおよびＲ０はそれぞれ独立して、非加水分解性有機基であり；Ｘ′はそれぞれ、−ＯＲ′、−ＯＨまたは−Ｏ−Ｓｉであり、反復単位のＳｉ原子間において−Ｏ−連鎖を形成する他のもう一方の上のＸ′とともに置換し、そのＲ′は炭素数１から約２２のアルキル基または炭素数６のアリール基であり、Ｙは化学式IIの繰り返し単位の塩を形成するのに適したアニオン性の部分であり、無溶媒固体ホモポリマーは離散的な固体粒子状である。
【請求項２】
Ｙ−が、ハロゲン、ヒドロキシル、アセテート、ＳＯ４−２、ＣＯ３−２、ＰＯ４−２対イオンを含む群から選択されたものである請求項１記載のポリマー。
【請求項３】
Ｙ−が、クロライド、ブロマイド、またはヨウ化物である請求項２記載のポリマー。
【請求項４】
二つのＲはメチルで、一つのＲはオクタデシルであり、Ｒ０はプロピルであり、Ｘ′はそれぞれメトキシまたは反復単位のＳｉ原子間において−Ｏ−連鎖を形成する他のもう一方の上のＸ′とともに置換したものである、請求項１記載のポリマー。
【請求項５】
ポリマーが、３‐（トリメトキシシリル）プロピルジメチルオクタデシル・アンモニウム・クロライド・ホモポリマーである、請求項１記載のポリマー。
【請求項６】
無溶媒固体ホモポリマー状抗菌性ポリマーが乾燥され、粉状である、請求項１記載のポリマー。
【請求項７】
請求項１記載のポリマーを作成する方法であって、
（ａ）化学式IIの繰り返し単位を有するポリマーを形成できる、シリコン含有の第４級アンモニウム塩モノマーを提供すること、
（ｂ）化学式Iのモノマーを、Ｓｉ（ＯＨ）基を形成するため、水で加水分解すること、
（ｃ）化学式IIのポリマーを形成するため、Ｓｉ（ＯＨ）基を縮合すること
（ｄ）ホモポリマーを回収すること;
（ｅ）回収されたホモポリマーから溶媒を蒸発させ、無溶媒固体ホモポリマーを結果物して得ること、
（ｆ）回収されたホモポリマーを乾燥させること
（ｇ）前記（ｆ）のホモポリマーを製粉し、離散的な固体粒子状にすること
からなる方法。
【請求項８】
化学式IIの繰り返し単位を有するポリマーを形成し得るシリコン含有の第４級アンモニウム塩モノマーは、化学式I；
Ｒ３Ｎ＋Ｒ０ｎＳｉＸ３Ｙ−（I）
のモノマーであって、
式中のＲおよびＲ０はそれぞれ独立して、非加水分解性有機基であり；Ｘはそれぞれ、Ｘ′を形成し得る加水分解性基であり；Ｙは化学式IIの繰り返し単位の塩を形成するのに適したアニオン性の部分である、請求項７記載の方法。
【請求項９】
シリコン含有の第４級アンモニウム塩モノマーは、化学式III；
（Ｒ１）３ＳｉＲ２Ｎ+（Ｒ３）（Ｒ４）（Ｒ５）Ｙ− （III）
から構成され、
式中のＲ１は、Ｒ６Ｏであり、そのＲ６は水素であり、炭素数１から約２２のアルキル、アセチル、アセトキシ、アシル、プロピレン・グリコール、エチレン・グリコール、ポリエチレン・グリコール、ポリプロピレン・グリコール；オクチルフェノール、ノニルフェノール、またはソルビタン・エーテルであり；
Ｒ２はベンジル、ビニルまたは炭素数１から約２２のアルキルであり；
Ｒ３およびＲ４は独立して、炭素数１から約６の低級アルキル・アルコール、炭素数１から約６の低級アルコキシ、炭素数１から約２２のアルキルであり；
または、Ｒ３およびＲ４は、一緒になって、モルホリン、環状または複素環状、不飽和または飽和である、化学式  IV；
−Ｒ３（Ｒ７） ｋ−Ｒ４−（IV）
の５から７員環を形成可能であり、
式中のｋは０から２の整数であり、
式中のＲ７は、その環は飽和で、ＣＨ２、Ｏ、Ｓ、ＮＨ、ＮＨ２＋、ＮＣＨ２ＣＨ２ＮＨ２、ＮＣＨ２ＣＨ２ＮＨ３＋、ＮＣＨ２ＣＨ２Ｎ（Ｒ０）（Ｒ９）、ＮＣＨ２ＣＨ２Ｎ＋（Ｒ８）（Ｒ９）（Ｒ１０）、Ｎ（アルキル）、Ｎ（アリール）、Ｎ（ベンジル）であり、そのＲ８、Ｒ９、Ｒ１０は、それぞれ独立して、ベンジル、ポリエーテル、炭素数１から４の低級アルキル・アルコール、炭素数１から４の低級アルコキシ、または炭素数１から約２２のアルキルであり、およびＲ７は、その環は不飽和で、ＣＨ、Ｎ、Ｎ＋Ｈ、Ｎ＋（アルキル）、Ｎ＋（アリール）、Ｎ＋（ベンジル）、ＮＣＨ２Ｎ、Ｎ＋ＨＣＨ２Ｎ、Ｎ＋（アルキル）ＣＨ２Ｎ、Ｎ＋（アリール）ＣＨ２Ｎ、またはＮ＋（ベンジル）ＣＨ２Ｎであり；
その環は、非置換または置換の炭素数１から約２２のアルキル、エステル、アルデヒド、カルボキシレートレート、アミド、チオンアミド、ニトロ、アミン、ハロゲンであり；
Ｒ５は炭素数１から６の低級アルキル・アルコール、ＣＨ２Ｃ６Ｈ５、ポリエーテル、アルキル、アルコキシ、ペルフルオロアルキル、ペルフルオロアルキルスルホナート、ペルフルオロアルキルカルボキシレートであり、そのアルキル、アルコキシ、ペルフルオロアルキル、ペルフルオロアルキルスルホナート、またはペルフルオロアルキルカルボキシレートは炭素数１から約２２のものか、あるいは化学式IVの５から７員環であり；
Ｙ−は、化学式IIIの化合物の塩を形成するのに適したアニオン性の部分である、
請求項７記載の方法。
【請求項１０】
工程（ａ）の前のシリコン含有の第４級アンモニウム塩モノマーを溶媒に溶解する予備工程を含み；加水分解工程（ｂ）および縮合工程（ｃ）が、さらに、ポリマーを形成するため、触媒の存在下で溶液と水を混合することを含んでおり、さらに、（ｄ）沈殿物除去か溶媒除去のどちらか一方によってポリマーを回収することを含む、請求項７記載の方法。
【請求項１１】
溶媒は、水、アルコール、ケトン、アルデヒド、脂肪族炭化水素、芳香族炭化水素、グリコール・エーテル、ハロゲン化炭化水素、を含む群から選択される、請求項７記載の方法。
【請求項１２】
触媒は、無機酸、有機酸、塩基、を含む群から選択される、請求項１０記載の方法。
【請求項１３】
塩基は、水酸化ナトリウム、水酸化カリウム、水酸化アンモニウム、脂肪族アミン、脂環式アミン、アリールアミン、を含む群から選択される、請求項１２記載の方法。
【請求項１４】
塩基は、水酸化アンモニウムである請求項１３の方法。
【請求項１５】
水酸化アンモニウムがあり、その濃度は０．３ｇ／Ｌである請求項１４の方法。
【請求項１６】
シリコン含有の第４級アンモニウム塩モノマーが、３‐（トリメトキシシリル）プロピルジメチルオクタデシル・アンモニウム・クロライドである、請求項７記載の方法。
【請求項１７】
モノマーおよびポリマーを含む官能基の群は、−ＯＨ、−Ｃ（Ｏ）ＯＨ、−ＮＨ２、−ＮＨ、−ＮＣＯ、−Ｃ（Ｏ）ＯＲ１１、から選択され、そのＲ１１は、脂肪族基、脂環式基、アリール基を含む群から選択される、請求項７記載の方法。
【請求項１８】
乾燥した無溶媒固体ホモポリマーが粉状である請求項７の方法。
【請求項１９】
持続性の抗菌特性を有する基材を作製する方法において、
（ａ）基材を準備すること
（ｂ）請求項１による化学式IIの繰り返し単位を有するホモポリマーを準備すること
（ｃ）以下のうちの１つによって持続性の抗菌特性を有する基材を形成すること
（i）基材とホモポリマーとを乾式混合すること
（ii）ホモポリマー溶液を形成し、その溶液を基材と混合すること
（iii）基材をホモポリマーでコーティングすること
からなる方法。
【請求項２０】
持続性の抗菌特性を有する基材は、化学式IIのポリマーをバルク樹脂と乾式混合し、その後、混合された化学式IIのポリマーとバルク樹脂から基材を形成することにより作製される、請求項１９記載の方法。
【請求項２１】
持続性の抗菌特性を有する基材は、溶液を形成するためホモポリマーを溶媒に溶解し、材料と溶液の混合物形成のため溶液を基材形成に使用される材料に混合し、基材の前駆体形成のため混合物から溶媒を除去し、さらに持続性の抗菌特性を有する基材を前駆体から形成することにより作製される、請求項１９記載の方法。
【請求項２２】
ホモポリマーは、混合物を形成するため熱可塑性樹脂と混合され、混合物は持続性の抗菌特性を有する基材を形成するため溶融押出される、請求項２０記載の方法
【請求項２３】
ホモポリマーは、混合物を形成するため熱可塑性樹脂と混合され、混合物は持続性の抗菌特性を有する基材を成形するため射出成形される、請求項２０記載の方法。
【請求項２４】
抗菌性溶液が、スプレーにより基材上にコーティングされる、請求項１９記載の方法。
【請求項２５】
基材が、建築材料である、請求項１９記載の方法。
【手続補正２】
【補正対象書類名】明細書
【補正対象項目名】００４４
【補正方法】変更
【補正の内容】
【００４４】
化学式IIのポリマーを作成するのに使用される、好ましいシリコン含有の第４級アンモニウム塩モノマーは、化学式I；
Ｒ３Ｎ＋Ｒ０ｎＳｉＸ４−ｎＹ− （I）
を有しており、
式中のＲおよびＲ０はそれぞれ独立して、非加水分解性有機基であり；Ｘはそれぞれ独立して、加水分解性基であり；ｎは０から３の整数であり；およびＹは化学式Iの化合物を形成するのに適したアニオン性の部分である。Ｙはハロゲン化物であることが好ましい。現在、もっとも好ましいシリコン含有の第４級アンモニウム塩は、二つのＲがメチルで、一つのＲがオクタデシル、Ｒ０がプロピルであり、Ｘがそれぞれメトキシであり、ｎが整数１であり、Ｙがクロライドであるものであり、これにより第４級アンモニウム塩モノマーは、３‐（トリメトキシシリル）プロピルジメチルオクタデシル・アンモニウム・クロライドとなる。
【手続補正３】
【補正対象書類名】明細書
【補正対象項目名】００４６
【補正方法】変更
【補正の内容】
【００４６】
その結果として生じるシリコン含有の第４級アンモニウム塩ポリマーは、化学式II；
Ｒ３Ｎ＋Ｒ０ｎＳｉＸ′４−ｎＹ− （II）
の繰り返し単位を有することが好ましく、
式中のＲとＲ０はそれぞれ独立して、非加水分解型有機基であり、例えばフェニル基などの、１から約２２の炭素原子のアルキル基またはアリール基などであるが、これに限定されるものではない；ｎは１から３の整数であり；Ｘ′はそれぞれ、−ＯＲ′で、そのＲ′は炭素数１から約２２のアルキル基、または炭素数６のアリール基である。より好ましくは、Ｒはそれぞれ独立して、メチル、エチル、プロピル、ブチル、オクチル、ドデシル、テトラデシル、オクタデシルであり、Ｒ０はそれぞれ独立して、  メチル、エチル、プロピル、ブチル、オクチル、ドデシル、テトラデシル、オクタデシルであり；Ｘ′はそれぞれ−ＯＲ′で、そのＲ′はメチル、エチル、プロピル、ブチルであり；さらに、メチルかエチルであることが、より好ましい。Ｙは化学式IIのポリマーの塩を形成する、ハロゲン、ヒドロキシル、酢酸塩、ＳＯ４−２、ＣＯ３−２、ＰＯ４−２の対イオンなどの、アニオン性部分であることが好ましい。Ｙはハロゲンであることが、より好ましい。
【手続補正４】
【補正対象書類名】明細書
【補正対象項目名】００４７
【補正方法】変更
【補正の内容】
【００４７】
現在、もっとも好ましいシリコン含有の第４級アンモニウム塩の繰り返し単位は、二つのＲがメチルで、一つのＲがオクタデシル、Ｒ０がプロピルであり、ｎが１であり、Ｙがクロライドとなるものであり、これによりホモポリマーが３‐（トリメトキシシリル）プロピルジメチルオクタデシル・アンモニウム・クロライド・ポリマーになる。